(57)【特許請求の範囲】
【請求項１】
呼出要求端末からページャーの呼出要求信号を受信したホーム局の無線呼出交換機が、登録されている位置登録情報を参照してページャーの在圏サービスエリアを特定し、特定した在圏サービスエリアが自局の管轄外の場合にそのサービスエリアを管轄するビジタ局の無線呼出交換機へ呼出要求信号を転送し、ビジタ局の無線呼出交換機からページャーを無線で呼び出す広域無線呼出システムのページャー呼出方法において、
前記無線呼出交換毎に管轄するサービスエリア内から、有線端末（公衆電話）会社が提供している特番ダイヤルサービス（“＃”と数字４桁からなる特番（全国型短縮ダイヤル番号）と当該特番に対応する電話番号（裏番号）を事前に登録することにより、当該特番をダイヤルすると登録されている当該裏番号に自動接続されるサービス）を利用して当該特番が有線端末から発信された際に、当該有線端末が設置されているサービスエリアを管轄する前記ビジタ局の無線呼出交換機に有線公衆網経由で自動接続されるように、当該裏番号として当該ビジタ局の無線呼出交換機の着信番号を事前に登録しておき、
前記ページャを携帯する使用者が前記ビジタ局の無線呼出交換機が管轄するサービルエリア内への移動に伴いエリア内の有線端末から前記特番により発信を行い、
前記ビジタ局の無線呼出交換機が前記特番による管轄サービスエリア内からの着信により、前記ページャからの当該管轄サービスエリアへの位置登録要求が行われたことを特定し、
位置登録更新情報を前記ホーム局の無線呼出交換機に転送し、
前記ホーム局の無線呼出交換機に登録されている前記ページャーの位置登録情報を更新し、
前記管轄サービスエリアを管轄する前記ビジタ局の無線呼出交換機へテスト呼出要求信号を転送し、
前記ビジタ局の無線呼出交換機からページャーを無線で呼び出すことを特徴とする広域無線呼出システムのページャー呼出方法。
【請求項２】
呼出要求端末からページャーの呼出要求信号を受信したホーム局の無線呼出交換機が、登録されている位置登録情報を参照してページャーの在圏サービスエリアを特定し、特定した在圏サービスエリアが自局の管轄外の場合にそのサービスエリアを管轄するビジタ局の無線呼出交換機へ呼出要求信号を転送し、ビジタ局の無線呼出交換機からページャーを無線で呼び出す広域無線呼出システムのページャー呼出装置において、
前記無線呼出交換機毎に管轄するサービスエリア内から、有線端末（公衆電話）会社が提供している特番ダイヤルサービス（“＃”と数字４桁からなる特番（全国型短縮ダイヤル番号）と当該特番に対応する電話番号（裏番号）を事前に登録することにより、当該特番をダイヤルすると登録されている当該裏番号に自動接続されるサービス）を利用して当該特番が有線端末から発信された際に、当該有線端末が設置されているサービスエリアを管轄する前記ビジタ局の無線呼出交換機に有線公衆網経由で自動接続されるように、当該裏番号として当該ビジタ局の無線呼出交換機の着信番号を事前に登録しておき、前記有線端末から前記特番に対する発信を行うと、当該有線端末が在圏するサービスエリアを管轄する前記ビジタ局の無線呼出交換機に接続する手段を設け、
前記ページャーを携帯する使用者が移動に伴い位置登録を更新するとき、自己周辺の前記有線端末から前記特番に発信し、前記有線公衆網を介して対応するサービスエリアを管轄するビジタ局の無線呼出交換機に位置登録更新要求操作を行うことにより、前記ビジタ局の無線呼出交換機から前記ホーム局の無線呼出交換機に位置登録更新情報を転送し、前記使用者の位置登録対象のサービスエリアの認識を要せずに前記ホーム局の無線呼出交換機に登録されている前記位置登録情報を更新し、その後呼出確認を自動的に行うために前記ホーム局の無線呼出交換機から、前記ビジタ局の無線呼出交換機へテスト呼出要求情報を転送し、前記使用者がテスト呼出操作を行うことなく、位置登録操作後のテスト呼出確認が自動的に行われることを特徴とする広域無線呼出システムのページャー呼出装置。
【請求項３】
前記ビジタ局の無線呼出交換機が、前記有線公衆網と接続され前記特番による前記ページャーの位置登録更新要求を受付ける位置登録用装置と、前記ホーム局の無線呼出交換機と接続され位置登録更新情報の送信および呼出要求信号の受信を行うデータ送受信装置と、前記位置登録用装置を通して前記位置登録更新要求を受付けると前記ページャーのホーム局を判定し自局のサービスエリア内に在圏することを示す前記位置登録更新情報を生成して前記データ送受信装置を通して前記ホーム局の無線呼出交換機へ送信し、前記ホーム局の無線呼出交換機からの前記呼出要求信号を受信すると無線基地局を通して前記ページャーを無線で呼出する制御装置とを備えることを特徴とする請求項２記載の広域無線呼出システムのページャー呼出装置。
【請求項４】
前記ホーム局の無線呼出交換機が、前記ビジタ局の無線呼出交換機と接続され前記位置登録更新情報の受信および前記呼出要求信号の送信を行うデータ送受信装置と、前記ページャーの位置登録情報を格納する記憶装置と、前記データ送受信装置を通して前記ビジタ局の無線呼出交換機から前記位置登録更新情報を受信すると前記記憶装置内の位置登録情報を更新し、前記ページャの在圏サービスエリアを判定し、対応する前記ビジタ局の無線呼出交換機に前記呼出信号を前記データ送受信装置を通して送信する制御装置とを備えることを特徴とする請求項２または３記載の広域無線呼出システムのページャー呼出装置。
【発明の詳細な説明】
【０００１】
【発明の属する技術分野】
本発明は、広域無線呼出システムにおける位置登録後のページャー呼出方法および装置に関する。
【０００２】
【従来の技術】
従来のこの種の広域無線呼出システムでは、ページャーを携帯する使用者が無線呼出事業者の異なるサービスエリア間を移動したときは、そのページャーが登録されているホーム局の無線呼出事業者へ現在の在圏位置を通知し、ページャーの在圏位置を管理するホーム局の無線呼出交換機の位置登録管理データを更新する必要がある（例えば、特開平５−２８４０９５号公報）。
【０００３】
そのため無線呼出事業者の異なる地域へ移動したページャーは、在圏位置を登録変更するために、一般電話機を使用して公衆電話網を介してホーム局の無線呼出事業者へプッシュボタン（ＰＢ信号）で在圏位置登録を入力し、無線呼出事業者はＰＢ信号の情報によリホーム局の管理データを更新し、その後、テスト呼出確認を行う場合は、また、呼出要求端末を使用して公衆電話網を介してホーム局の無線呼出事業者へ接続し、呼出要求端末からペ−ジャーの呼出要求信号を受信したホーム局の無線呼出交換機が、登録されている在圏位置を参照してページャーの在圏サービスエリアを特定し、特定した在圏サービスエリアを管轄するビジタ局の無線呼出交換機へ呼出要求信号を転送し、ビジタ局の無線呼出交換機からペ−ジャーを無線で呼び出していた。
【０００４】
【発明が解決しようとする課題】
上述した従来の広域無線呼出システムでは、移動先のサービスエリアから一般電話機を使用して電話公衆網を介してホーム局の無線呼出交換機へ在圏位置情報をプッシュボタンで登録した後の確認方法がないという問題がある。特に移動先のサービスエリアが隣接県の場合、電波有効範囲がどちらに属しているのか分かりにくいためである。
【０００５】
また、位置登録操作後に、登録確認のためにテスト呼出確認を行う場合は、わざわざ市外通話料金を支払って、携帯しているページャーの番号を自分自身で呼び出して呼出確認を行わなければならないという問題がある。
【０００６】
本発明の目的は、ページャーを携帯する使用者（契約者）が、無線呼出事業者が異なるサービスエリアに移動したときの位置登録操作後の呼出確認を、契約者が意識せずにテスト呼出確認ができる広域無線呼出システムのページャー呼出方法および装置を提供することにある。
【０００７】
【課題を解決するための手段】
本発明は、呼出要求端末からページャーの呼出要求信号を受信したホーム局の無線呼出交換機が、登録されている位置登録情報を参照してページャーの在圏サービスエリアを特定し、特定した在圏サービスエリアが自局の管轄外の場合にそのサービスエリアを管轄するビジタ局の無線呼出交換機へ呼出要求信号を転送し、ビジタ局の無線呼出交換機からページャーを無線で呼び出す広域無線呼出システムのページャー呼出方法において、
前記無線呼出交換機に共通な“＃”と数字４桁からなる特番をあらかじめ設定しておき、
前記ページャを携帯する使用者が前記ビジタ局の無線呼出交換機が管轄するサービスエリア内への移動に伴いエリア内の有線端末から前記特番により発信を行い、
前記ビジタ局の無線呼出交換機が前記特番から位置登録エリアを特定し、
位置登録更新情報を前記ホーム局の無線呼出交換機に転送し、
ホーム局の無線呼出交換機に登録されている前記ページャーの位置登録情報を更新し、
前記特定したサービスエリアを管轄するビジタ局の無線呼出交換機へテスト呼出要求信号を転送し、
ビジタ局の無線呼出交換機からページャーを無線で呼び出すことを特徴とする。
【０００８】
また本発明は、呼出要求端末からページャーの呼出要求信号を受信したホーム局の無線呼出交換機が、登録されている位置登録情報を参照してページャーの在圏サービスエリアを特定し、特定した在圏サービスエリアが自局の管轄外の場合にそのサービスエリアを管轄するビジタ局の無線呼出交換機へ呼出要求信号を転送し、ビジタ局の無線呼出交換機からページャーを無線で呼び出す広域無線呼出システムにおいて、
前記ホーム局およびビジタ局の各無線呼出交換機が管轄するすべてのサービスエリアに散在する有線端末を加入者線接続する有線公衆網上に、前記ホーム局およびビジタ局のすべての無線呼出交換機に共通な“＃”と数字４桁からなる特番をあらかじめ設定し、任意の前記有線端末から前記特番に対する発信を行うと、その有線端末が在圏するサービスエリアを管轄する無線呼出交換機に接続する手段を設け、
前記ページャーを携帯する使用者が移動に伴い位置登録を更新するとき、自己周辺の前記有線端末から前記特番に発信し、前記公衆網を介して対応するサービスエリアを管轄するビジタ局の無線呼出交換機に位置登録更新要求操作を行うことにより、当該ビジタ局の無線呼出交換機から前記ホーム局の無線呼出交換機に位置登録更新情報を転送し、前記使用者の位置登録対象のサービスエリアの認識を要せずに前記ホーム局の無線呼出交換機に登録されている前記位置登録情報を更新し、その後呼出確認を自動的に行うために前記ホーム局の無線呼出交換機から、前記ビジタ局の無線呼出交換機へテスト呼出要求情報を転送し、前記使用者がテスト呼出操作を行うことなく、位置登録操作後のテスト呼出確認が自動的に行われることを特徴とする。
【０００９】
また本発明は、＃ダイヤルによる加入者線で前記在圏サービスエリアを管轄するビジタ局の無線呼出交換機に接続しておくことにより、契約者が＃ダイヤルを行うことで、前記ビジタ局の無線呼出交換機が位置登録エリアを特定して、前記ホーム局の無線呼出交換機に登録されている前記位置登録情報が更新され、前記特定したサービスエリアを管轄するビジタ局の無線呼出交換機へテスト呼出要求信号を転送し、ビジタ局の無線呼出交換機からページャーを無線で呼び出すことを特徴とする。
【００１０】
このため、本発明は、ページャーの契約者がわざわざ自分で自分自身のページャーを呼び出すためにテスト呼出操作を行うことなく、位置登録操作後の位置登録の確認のための呼出確認を自動的に行うことができる。
【００１１】
【発明の実施の形態】
次に、本発明の実施の形態について、図面を参照して詳細に説明する。
【００１２】
図１は、本発明の一実施の形態例を示すブロック図である。図１に示す本発明が適用されるページャーの広域無線呼出システムは、ホーム局の無線呼出交換機１０と、ビジタ局の無線呼出交換機２０と、ホーム局の無線呼出交換機１０が管轄するホーム局のサービスエリア３０と、ビジタ局の無線呼出交換機２０が管轄するビジタ局のサービスエリア４０と、ホーム局の無線呼出交換機１０とビジタ局の無線呼出交換機２０とを接続する公衆綱７０と、ホーム局の無線呼出交換機１０とホーム局のサービスエリア３０に散在する公衆電話端末３３とを接続する公衆綱６０，５０，８０と、ビジタ局の無線呼出交換機２０とビジタ局のサービスエリア４０に散在する公衆電話端末４３とを接続する公衆網５０，９０と、ホーム局の無線呼出交換機１０と呼出要求端末１００とを接続する公衆網８０と、ホーム局のサービスエリア３０に在圏するページャー３２と、ページャー３２がホーム局１０のサービスエリア３０からビジタ局２０のサービスエリア４０へ移動したときのページャー４２とから構成されている。
【００１３】
ホーム局の無線呼出交換機１０は、呼出要求端末１００を公衆網８０を介して収容する入トランク１１と、入トランク１１が公衆網８０を介して受信した呼出要求端末１００からのダイヤル情報を翻訳するＭＦ／ＰＢ受信器１２と、呼出要求端末１００が送出したダイヤル情報を基にページャー３２の呼出情報をホーム局のサービスエリア３０の無線基地局３１へ送出する地域制御装置１３と、公衆綱７０を通してビジタ局の無線呼出交換機２０のデータ送受信装置２４と接続され、ページャー３２がホーム局のサービスエリア３０からビジタ局のサービスエリア４０へ移動したときのページャーの呼出要求信号などの各種データを送受信するデータ送受信装置１４と、ホーム局の無線呼出交換機１０の各種制御を司る中央制御装置１５と、ビジタ局のサービスエリア４０に在圏するページャー４２の位置登録情報を格納する位置登録管理テーブル（図示せず）を有する記憶装置１６と、交換接続を行うスイッチ１７と、加入者データを事前に登録する入力端末１８と、予め設定された特番（例えばＮＴＴ（株）提供サービスの＃ダイヤル：“＃”と数字４桁）による位置登録要求を公衆網８０を介して受け付ける位置登録用装置１９とから構成されている。
【００１４】
ビジタ局の無線呼出交換機２０も、ホーム局の無線呼出交換機１０と同様、入トランク２１と、ＭＦ／ＰＢ受信器２２と、地域制御装置２３と、データ送受信装置２４と、中央制御装置２５と、記憶装置２６と、スイッチ２７と、入力端末２８と、位置登録用装置２９とから構成されている。
【００１５】
ホーム局のサービスエリア３０は、無線基地局３１と、ホーム局の無線呼出交換機１０へ登録されているページャー３２とを含み、ビジタ局のサービスエリア４０も無線基地局４１と、ホーム局のサービスエリア３０から移動してきたページャー４２とを含んでいる。
【００１６】
次に動作を説明する。最初にページャー３２の位置登録をホーム局の無線呼出交換機１０へ登録する初期設定について説明する。
【００１７】
ホーム局の無線呼出交換機（以下、ホーム局と略記する）１０の入力端末１８から、ページャー３２をホーム局１０に登録するために、ページャー３２に予め設定された個別番号、例えば「１０００」と、ホーム局１０が管轄するサービスエリア３０の位置情報、例えば「３００」とを入力すると共に、ページャー３２が移動する予定のある他の無線呼出事業者が管轄するビジタ局の無線呼出交換機（以下、ビジタ局と略記する）２０のサービスエリア４０の位置情報、例えば「４００」を入力し、記憶装置１６の位置登録管理テーブルに登録する。
【００１８】
図２に位置登録管理テーブルの構成の一例を示す。この位置登録管理テーブルは、各ページャーの個別番号に対して、そのページャーの在圏するサービスエリアの位置情報とページャーが移動する予定のビジタ局のサービスエリアの位置情報が登録されている。すなわち、ページャー３２の個別番号１０００に対して、ページャー３２がホーム局１０のサービスエリア３０に在圏することを示す在圏位置登録情報３００と、移動予定のビジタ局の位置情報３００，４００，５００が登録されている。従って、個別番号１０００が設定されたページャー３２は、在圏位置登録情報３００から現在ホーム局１０のサービスエリア３０に在圏し、このページャー３２は、サービスエリア３０に常駐するとき、およびサービスエリア４０あるいは他のサービスエリアからサービスエリア３０へ戻ったときのみ接続可能であることがわかる。
【００１９】
次に、呼出要求端末１００からホーム局１０のサービスエリア３０に在圏するページャー３２を呼び出す場合について説明する。
【００２０】
呼出要求端末１００がページャー３２を呼び出すべくページャー３２固有の個別番号１０００を含む呼出番号をダイヤルする。このダイヤル情報は、公衆網８０を介してホーム局１０の入トランク１１に着信する。入トランク１１に着信したダイヤル情報は、スイッチ１７を通してＭＦ／ＰＢ受信器２２に入力され、ＭＦ／ＰＢ受信器２２で受信したページャー３２の個別番号１０００が翻訳される。中央制御装置１５は、翻訳されたペ−ジャー３２の個別番号１０００を基に、記憶装置１６に格納されている位置登録管理テーブルを検索して、ページャー３２がホーム局１０のサービスエリア３０に在圏することを在圏位置情報３００から認識し、ページャー３２の個別番号１０００と、ページャー３２が在圏するサービスエリア３０の位置情報３００とを地域制御装置１３へ送出する。地域制御装置１３は、受信したページャーの個別番号１０００とサービスエリア３０の位置情報を所定の信号形式によるページャー呼出情報とし、生成したページャー呼出情報をホーム局１０のサービスエリア３０の無線基地局３１へ送信する。無線基地局３１は受信したページャー呼出情報を無線で送出してページャー３２を呼び出す。
【００２１】
続いて、ホーム局１０のサービスエリア３０内に在圏するページャー３２が他の無線呼出通信事業者であるビジタ局２０が管轄するサービスエリア４０へ移動したときのページャー４２の位置登録更新の方法について説明する。
【００２２】
ホーム局１０のサービスエリア３０からビジタ局２０のサービスエリア４０へ移動したページャー４２の使用者は、ビジタ局２０のサービスエリア４０に散在する公衆電話端末４３から予め設定された特番である＃ダイヤルをダイヤルする。＃ダイヤルを受信した公衆綱５０は、＃ダイヤルの裏番号により、公衆電話端末４３がビジタ局２０のサービスエリア４０に設置されていることを特定し、公衆網９０を介してビジタ局２０の位置登録用装置２９へ着信する。
【００２３】
ビジタ局２０の中央制御装置２５は、位置登録用装置２９を介して受信したことによって、ビジタ局２０のサービスエリア４０からの位置登録要求だと認識し、ガイダンスによって位置登録要求を行っているページャー４２の個別番号の入力催促を行う。ページャー４２の使用者は、入力催促ガイダンスに従って個別番号１０００をダイヤルする。このダイヤル情報は、公衆綱５０〜公衆網９０を介してビジタ局２０の位置登録用装置２９に着信する。位置登録用装置２９に着信したダイヤル情報は、スイッチ２７を通してＭＦ／ＰＢ受信器２２で受信し、ペ−ジャー４２の個別番号１０００が翻訳される。中央制御装置２５は、翻訳されたページャー４２の個別番号１０００を基に、ホーム局１０の契約者であることを認識し、サービスエリア４０の位置情報４００とペ−ジャー４２の個別番号１０００とを含む位置登録更新情報をデータ送受信装置２４を介して公衆網７０へ送信し、公衆網７０はホーム局１０のデータ送受信装置１４へ着信する。
【００２４】
ホーム局１０の中央制御装置１５は、データ送受信装置１４を介して位置登録更新情報を受信し、この位置登録更新情報からページャー４２の個別番号１０００とビジタ局２０のサービスエリア４０の位置情報を抽出し、抽出したページャー４２の個別番号１０００を基に記憶装置１６に格納されている位置登録管理テーブルを検索し、接続可能な位置情報としてビジタ局２０のサービスエリア４０の位置情報４００が登録されているか否かを認識する。
【００２５】
中央制御装置１５は、ページャー４２の個別番号１０００に対応してサービスエリア４０の位置情報４００が登録されていることを認識すると、記憶装置１６に格納されている位置登録管理テーブルの在圏サービスエリアに登録されていたホーム局１０のサービスエリア３０の位置情報３００をビジタ局２０のサービスエリア４０の位置情報に書き換える。
【００２６】
その後、呼出確認を自動的に行うときは、ホーム局１０の中央制御装置１５は、記憶装置１６に格納されている更新済の位置登録管理テーブルを参照して、ページャー４２がビジタ局２０のサービスエリア４０に位置登録していることを認識し、呼出要求信号をデータ送受信装置１４を介して公衆網７０へ送信し、公衆網７０はビジタ局２０のデータ送受信装置２４へ送信する。
【００２７】
ビジタ局２０の中央制御装置２５は、データ送受信装置２４を介して受信した呼出要求信号を地域制御装置２３へ送出し、地域制御装置２３は、受信した呼出要求信号を所定の信号形式によリページャー呼出信号として生成し、サービスエリア４０の無線基地局４１へ送信してページャー４２を呼び出す。
【００２８】
ページャー４２がビジタ局２０のサービスエリア４０から再びホーム局１０のサービスエリア３０へ移動してページャー３２となる場合は、ホーム局１０のサービスエリア３０に散在する公衆電話端末３３から＃ダイヤルをダイヤルして、公衆網６０〜公衆網５０〜公衆網８０を介してホーム局１０と接続し、ホーム局１０の記憶装置１６に格納されている位置登録管理テーブルを更新する。
【００２９】
その後、呼出確認を自動的に行うときは、記憶装置１６に格納されている更新済の位置登録管理テーブルを参照してホーム局１０のサービスエリア３０へ戻ったページャー３２を呼び出すことができる。
【００３０】
【実施例】
次に、本発明の実施例について説明する。上述したように、ページャー３２が東京のホーム局１０へ無線呼出通信事業者の異なる地域、例えば大阪のビジタ局２０が管轄するサービスエリア４０の位置情報４００を登録しておき、ページャー３２が東京のホーム局１０（在圏位置情報３００）から大阪のビジタ局２０が管轄するサービスエリア４０（接続可能位置情報４００）へ出張等で移動したとき、移動先のサービスエリア内に設置されている公衆電話４３から＃ダイヤルをダイヤルして位置登録要求を行う場合で説明する。
【００３１】
ページャー３２が東京のホーム局１０へ無線呼出通信事業者の異なる地域、例えば大阪のビジタ局２０が管轄するサービスエリア４０の位置情報４００を登録しておき、ページャー３２が東京のホーム局１０（在圏位置情報３００）から大阪のビジタ局２０が管轄するサービスエリア４０（接続可能位置情報４００）へ出張等で移動したとき、移動先のサービスエリア内に設置されている公衆電話４３から＃ダイヤルをダイヤルし、＃ダイヤルを受信した公衆網５０は、＃ダイヤルの裏番号により、公衆電話４３が大阪のビジタ局２０のサービスエリア４０に設置されていることを特定し、公衆網５０は、公衆網９０を介して大阪のビジタ局２０の位置登録用装置と接続し、現在在圏する大阪のビジタ局２０のサービスエリア４０の位置情報４００を東京のホーム局１０へ送信して、東京のホーム局１０に登録されている位置登録管理テーブルの在圏位置情報を更新し、その後呼出確認を自動的に行うために、東京のホーム局１０から、現在在圏する大阪のビジタ局２０へテスト呼出要求情報を転送する。
【００３２】
以上により、ページャーの契約者は、テスト呼出操作を行うことなく、位置登録操作後のテスト呼出確認が自動的に行われることにより、従来のように位置登録の更新時にわずらわしい登録確認のためのテスト呼出確認を自分自身の呼出操作で行うことが不要となる。
【００３３】
【発明の効果】
以上説明したように本発明は、ページャーが移動先のサービスエリアに移動したとき、＃ダイヤルの裏番号により在圏サービスエリアを管轄するビジタ局の無線呼出交換機に接続され、ホーム局の無線呼出交換機へ位置登録情報が転送された後、ホーム局の無線呼出交換機から自動的にテスト呼出情報をビジタ局の無線呼出交換機に転送されるため、従来行っていた移動先のサービスエリアから電話機を使用して、ホーム局の無線呼出交換機へ登録確認のためのテスト呼出確認を自分自身の呼出操作で行うことが不要になることである。これにより、電波の有効範囲を意識せずに隣接県への移動ができるようになる。
【図面の簡単な説明】
【図１】本発明の一実施の形態例を示すブロック図である。
【図２】本発明の位置登録管理テーブルの構成例を示す図である。
【符号の説明】
１０  ホーム局の無線呼出交換機
２０  ビジタ局の無線呼出交換機
１１，２１  入トランク
１２，２２  ＭＦ／ＰＢ受信器
１３，２３  地域制御装置
１４，２４  データ送受信装置
１５，２５  中央制御装置
１６，２６  記憶装置
１７，２７  スイッチ
１８，２８  入力端末
１９，２９  位置登録用装置
３０  ホーム局のサービスエリア
４０  ビジタ局のサービスエリア
３１，４１  無線基地局
３２，４２  ページャー
３３，４３  公衆電話
５０，６０，７０，８０，９０  公衆網
１００  呼出要求端末
【図１】
0003564258.tif 000002
【図２】
0003564258.tif 000003